(57)【要約】【課題】単一の同軸ケーブルによって、アナログカメラの映像信号とＩＰカメラの映像信号との同時伝送を実現し得る、伝送システム、それに用いる伝送機器セット、及びＩＰカメラの敷設方法を提供する。【解決手段】伝送システム１０は、アナログカメラ２０と、ＩＰカメラ３０と、同軸ケーブル１１と、ＩＰカメラ３０の信号を同軸ケーブル１１での伝送が可能な信号に変換する同軸ケーブルモデム３１と、ハイパスフィルタ３２及び３３と、ローパスフィルタ２１とを備える。アナログカメラ２０は、同軸ケーブル１１に接続される。ＩＰカメラ３０は、信号伝送経路１６によって、同軸ケーブルモデム３１及びハイパスフィルタ３２を順に介して同軸ケーブル１１に接続される。ローパスフィルタ２１は同軸ケーブル１１の出力端に接続される。ハイパスフィルタ３３は信号伝送経路１７によって同軸ケーブル１１の出力端に接続される。【選択図】図１
2013093680.tif 000002
【特許請求の範囲】
【請求項１】
映像信号としてアナログ信号を出力するアナログカメラと、
映像信号としてデジタル信号を出力するＩＰカメラと、
前記アナログカメラが出力した前記映像信号及び前記ＩＰカメラが出力した前記映像信号の信号伝送経路として機能する同軸ケーブルと、
前記ＩＰカメラが出力した信号を、前記同軸ケーブルによる伝送が可能な信号に変換する、同軸ケーブルモデムと、
前記アナログ信号の周波数よりも高い周波数の信号を通過させる、第１及び第２のハイパスフィルタと、
前記同軸ケーブルモデムから出力される信号の周波数よりも低い周波数の信号を通過させる、ローパスフィルタと、
を備え、
前記アナログカメラは、前記同軸ケーブルの入力端に接続され、
前記ＩＰカメラは、前記アナログカメラとは別の信号伝送経路によって、前記同軸ケーブルの入力端に、前記同軸ケーブルモデム及び前記第１のハイパスフィルタを順に介して、接続され、
前記ローパスフィルタは、前記同軸ケーブルの出力端に、接続され、
前記第２のハイパスフィルタは、前記ローパスフィルタとは別の信号伝送経路によって、前記同軸ケーブルの出力端に、接続されている、
ことを特徴とする伝送システム。
【請求項２】
前記同軸ケーブルモデムから出力される信号の周波数よりも低い周波数の信号を通過させる、第２のローパスフィルタを、更に備え、
前記アナログカメラが、前記第２のローパスフィルタを介して、前記同軸ケーブルの入力端に接続されている、
請求項１に記載の伝送システム。
【請求項３】
前記ローパスフィルタが、前記アナログカメラの映像信号に基づいて映像を表示するモニタと前記同軸ケーブルの出力端との間に介在しており、
前記第２のハイパスフィルタが、前記ＩＰカメラの映像信号に基づいて映像を表示するモニタと前記同軸ケーブルの出力端との間に介在している、
請求項１または２に記載の伝送システム。
【請求項４】
前記アナログカメラが出力するアナログ信号の周波数が、３．０ＭＨｚ〜４．２ＭＨｚであり、
前記同軸ケーブルモデムが出力する信号の周波数が、２．０ＭＨｚ〜３０．０ＭＨｚである、
請求項１〜３のいずれかに記載の伝送システム。
【請求項５】
上記請求項１〜４のいずれかに記載の伝送システムに用いられる、ＩＰカメラと、同軸ケーブルモデムと、ハイパスフィルタと、ローパスフィルタと、
を有することを特徴とする、伝送機器セット。
【請求項６】
映像信号としてアナログ信号を出力するアナログカメラと、前記アナログ信号を伝送する同軸ケーブルとを備えた伝送システムに、映像信号としてデジタル信号を出力するＩＰカメラを敷設するための方法であって、
（ａ）前記同軸ケーブルに、入力側に位置する第１の分岐器と、出力側に位置する第２の分岐器とを設ける、ステップと、
（ｂ）前記ＩＰカメラを、前記ＩＰカメラが出力した信号を前記同軸ケーブルによる伝送が可能な信号に変換する同軸ケーブルモデムと、前記アナログ信号の周波数よりも高い周波数の信号を通過させる第１のハイパスフィルタとを順に介して、前記第１の分岐器に接続する、ステップと、
（ｃ）前記第２の分岐器に、前記映像信号の周波数よりも高い周波数の信号を通過させる第２のハイパスフィルタが設置された信号伝送経路を接続する、ステップと、
（ｄ）前記同軸ケーブル上の、前記第２の分岐器の出力側に、前記同軸ケーブルモデムから出力される信号の周波数よりも低い周波数の信号を通過させる、ローパスフィルタを設置する、ステップと、
を有する、ことを特徴とするＩＰカメラの敷設方法。
【請求項７】
前記同軸ケーブル上の前記アナログカメラと前記第１の分岐器との間に、第２のローパスフィルタを設置する、ステップを、更に有している、
請求項６に記載のＩＰカメラの敷設方法。
【請求項８】
前記伝送システムにおいて、前記同軸ケーブルの出力端に、前記アナログカメラの映像信号に基づいて映像を表示するモニタが接続されており、
前記（ｃ）のステップにおいて、前記信号伝送経路の出力端に、前記ＩＰカメラの映像信号に基づいて映像を表示するモニタを接続する、
請求項６または７に記載のＩＰカメラの敷設方法。
【発明の詳細な説明】
【技術分野】
【０００１】
本発明は、アナログカメラから出力される映像信号とＩＰ（Internet Protocol）カメラから出力される映像信号とを同時に伝送するための、伝送システムに関し、更には、それに用いる伝送機器セット、及びＩＰカメラの敷設方法に関する。
【背景技術】
【０００２】
従来から、街中、公共施設、商業ビル、集合住宅等においては、治安維持などのため、多数の監視カメラが設置されている。また、道路においても、各種車両の監視のため、監視カメラが設置されている。このような監視カメラとしては、従来においては、映像をアナログ信号によって伝送するアナログカメラが多く利用されている。また、アナログ信号（映像信号）の伝送のため、同軸ケーブルが敷設されている。
【０００３】
ところで、近年においては、ネットワーク技術の向上により、監視カメラとして、アナログカメラに代わって、いわゆるＩＰカメラの利用が増加している。ＩＰカメラは、ネットワークカメラとも呼ばれ、ＨＴＴＰサーバ機能とデータ通信機能とを備えている。そして、ＩＰカメラによって撮影された映像は、デジタル信号として出力されるので、映像信号の扱いが、アナログカメラの場合に比べて容易となることから、古くなったアナログカメラを、ＩＰカメラに置き換える需要が増加している。
【０００４】
但し、通常、ＩＰカメラの映像信号の伝送には、イーサーネットケーブル又は光ケーブルを用いる必要があり、ＩＰカメラへの置き換えには、ケーブルの置き換え工事が必要となり、コストが高くなるという問題が発生してしまう。
【０００５】
このため、ＩＰカメラから出力される映像信号を、同軸ケーブルによって伝送できるようにする技術が提案されている（例えば、非特許文献１参照。）。この技術は、「同軸ケーブル通信技術（ＣＬＣ：Coaxial Line Communication）」と呼ばれており、この技術から開発された同軸ケーブルモデムを用いれば、ＩＰカメラから出力された映像信号を、同軸ケーブルによって伝送できる。よって、新たにケーブルを敷設することなく、アナログカメラをＩＰカメラに置き換えることが可能となる。
【０００６】
その他、ＩＰカメラから出力された映像信号を無線通信によって伝送することも考えられるが、無線通信を用いた場合は、周辺環境の影響を受けるため、映像を安定して伝送することが困難な場合がある。このため、既存設備へのＩＰカメラの設置においては、上述の同軸ケーブル通信技術が有効であると考えられる。
【先行技術文献】
【非特許文献】
【０００７】
【非特許文献１】「高速同軸モデムＡＣＬＣ」、[online]、平成２２年６月、住友電気工業株式会社、平成２３年９月１日検索、インターネット<URL:http://www.sei.co.jp/clc/index.html>
【発明の概要】
【発明が解決しようとする課題】
【０００８】
ところで、アナログカメラの置換えではなく、既存のアナログカメラを用いながら、ＩＰカメラを増設したい場合がある。しかしながら、１本の同軸ケーブルに、アナログカメラの映像信号と、同軸ケーブルモデムを介して出力されたＩＰカメラの映像信号とを、同時に伝送することは、困難であり、ＩＰカメラを増設する場合は、新たなケーブルの敷設工事が必要となる。
【０００９】
これは、アナログカメラの映像信号の周波数（３ＭＨｚ〜４．２ＭＨｚ）と、同軸ケーブルモデムから出力される信号の周波数（２ＭＨｚ〜３０ＭＨｚ）とが、重なっており、両者の映像信号を同時に流すと、アナログカメラの映像信号が乱されてしまうからである。また、同軸ケーブルモデムの４．２ＭＨｚ以上の周波数信号は、アナログカメラの映像信号自体には影響を与えないが、アナログカメラのモニタに影響を与えることがあるからである。
【００１０】
なお、同軸ケーブルモデムから出力される信号の周波数を、アナログカメラの映像信号の周波数と重ならないようにシフトさせれば、上記の問題を解決できるようにも考えられる。しかし、同軸ケーブルモデムから出力される信号の周波数を高周波側にシフトした場合は、信号に大きな減衰が発生し、伝送距離が短くなるという問題が発生してしまう。また、同軸ケーブルモデムから出力される信号の周波数を低周波側にシフトした場合は、伝送速度が低下するという問題が発生してしまう。
【００１１】
本発明の目的の一例は、上記問題を解消し、単一の同軸ケーブルによって、アナログカメラの映像信号とＩＰカメラの映像信号との同時伝送を実現し得る、伝送システム、それに用いる伝送機器セット、及びＩＰカメラの敷設方法を提供することにある。
【課題を解決するための手段】
【００１２】
上記目的を達成するため、本発明の一側面における伝送システムは、映像信号としてアナログ信号を出力するアナログカメラと、映像信号としてデジタル信号を出力するＩＰカメラと、前記アナログカメラが出力した前記映像信号及び前記ＩＰカメラが出力した前記映像信号の信号伝送経路として機能する同軸ケーブルと、前記ＩＰカメラが出力した信号を、前記同軸ケーブルによる伝送が可能な信号に変換する、同軸ケーブルモデムと、前記アナログ信号の周波数よりも高い周波数の信号を通過させる、第１及び第２のハイパスフィルタと、前記同軸ケーブルモデムから出力される信号の周波数よりも低い周波数の信号を通過させる、ローパスフィルタと、を備え、前記アナログカメラは、前記同軸ケーブルの入力端に接続され、前記ＩＰカメラは、前記アナログカメラとは別の信号伝送経路によって、前記同軸ケーブルの入力端に、前記同軸ケーブルモデム及び前記第１のハイパスフィルタを順に介して、接続され、前記ローパスフィルタは、前記同軸ケーブルの出力端に、接続され、前記第２のハイパスフィルタは、前記ローパスフィルタとは別の信号伝送経路によって、前記同軸ケーブルの出力端に、接続されている、ことを特徴とする。
【００１３】
以上の特徴によれば、単一の同軸ケーブルによって、アナログカメラの映像信号とＩＰカメラの映像信号とを同時に伝送しても、両者が干渉することはない。従って、アナログカメラの映像信号とＩＰカメラの映像信号との同時伝送が、単一の同軸ケーブルによって実現される。
【００１４】
上記本発明における伝送システムは、前記同軸ケーブルモデムから出力される信号の周波数よりも低い周波数の信号を通過させる、第２のローパスフィルタを、更に備え、前記アナログカメラが、前記第２のローパスフィルタを介して、前記同軸ケーブルの入力端に接続されている、態様であるのが好ましい。この態様とすれば、同軸ケーブルモデムが発するノイズが除去されるので、アナログカメラからの映像の品質の向上が図られる。
【００１５】
また、上記本発明における伝送システムにおいては、前記ローパスフィルタが、前記アナログカメラの映像信号に基づいて映像を表示するモニタと前記同軸ケーブルの出力端との間に介在しており、前記第２のハイパスフィルタが、前記ＩＰカメラの映像信号に基づいて映像を表示するモニタと前記同軸ケーブルの出力端との間に介在している、のが良い。
【００１６】
また、上記本発明における伝送システムにおいては、前記アナログカメラが出力するアナログ信号の周波数が、３．０ＭＨｚ〜４．２ＭＨｚであり、前記同軸ケーブルモデムが出力する信号の周波数が、２．０ＭＨｚ〜３０．０ＭＨｚである、のが良い。
【００１７】
また、上記目的を達成するため、本発明の一側面における伝送機器セットは、上記本発明における伝送システムに用いられる、ＩＰカメラと、同軸ケーブルモデムと、ハイパスフィルタと、ローパスフィルタと、を有することを特徴とする。
【００１８】
更に、上記目的を達成するため、本発明の一側面におけるＩＰカメラの敷設方法は、映像信号としてアナログ信号を出力するアナログカメラと、前記アナログ信号を伝送する同軸ケーブルとを備えた伝送システムに、映像信号としてデジタル信号を出力するＩＰカメラを敷設するための方法であって、（ａ）前記同軸ケーブルに、入力側に位置する第１の分岐器と、出力側に位置する第２の分岐器とを設ける、ステップと、（ｂ）前記ＩＰカメラを、前記ＩＰカメラが出力した信号を前記同軸ケーブルによる伝送が可能な信号に変換する同軸ケーブルモデムと、前記アナログ信号の周波数よりも高い周波数の信号を通過させる第１のハイパスフィルタとを順に介して、前記第１の分岐器に接続する、ステップと、（ｃ）前記第２の分岐器に、前記映像信号の周波数よりも高い周波数の信号を通過させる第２のハイパスフィルタが設置された信号伝送経路を接続する、ステップと、
（ｄ）前記同軸ケーブル上の、前記第２の分岐器の出力側に、前記同軸ケーブルモデムから出力される信号の周波数よりも低い周波数の信号を通過させる、ローパスフィルタを設置する、ステップと、を有する、ことを特徴とする。
【００１９】
上記本発明におけるＩＰカメラの敷設方法は、前記同軸ケーブル上の前記アナログカメラと前記第１の分岐器との間に、第２のローパスフィルタを設置する、ステップを、更に有している、態様であるのが好ましい。この態様とすれば、同軸ケーブルモデムが発するノイズが除去されるので、アナログカメラからの映像の品質の向上が図られる。
【００２０】
上記本発明におけるＩＰカメラの敷設方法では、前記伝送システムにおいて、前記同軸ケーブルの出力端に、前記アナログカメラの映像信号に基づいて映像を表示するモニタが接続されている場合に、前記（ｃ）のステップにおいて、前記信号伝送経路の出力端に、前記ＩＰカメラの映像信号に基づいて映像を表示するモニタを接続する、のが良い。
【発明の効果】
【００２１】
以上のように、本発明によれば、単一の同軸ケーブルによって、アナログカメラの映像信号とＩＰカメラの映像信号との同時伝送を実現することができる。
【図面の簡単な説明】
【００２２】
【図１】図１は、本発明の実施の形態における伝送システムの構成を示す図である。
【図２】図２は、各信号伝送経路で伝送されている信号を示す図である。
【図３】図３は、本発明の実施の形態におけるＩＰカメラの敷設方法を示すフロー図であり、図３（ａ）〜図３（ｄ）は、それぞれ一連の主なステップを示している。
【図４】図４は、本発明の実施の形態における伝送システムの他の例の構成を示す図である。
【発明を実施するための形態】
【００２３】
（実施の形態）
以下、本発明の実施の形態における、伝送システム、伝送機器セット、及びＩＰカメラの敷設方法について、図１〜図４を参照しながら説明する。
【００２４】
［伝送システム及び伝送機器セットの構成］
最初に、本実施の形態における伝送システム及び伝送機器セットの構成について説明する。図１は、本発明の実施の形態における伝送システムの構成を示す図である。なお、本実施の形態において、伝送機器セットは、伝送システムを構成する機器の集合であることから、伝送機器セットについての説明は、以下の伝送システムの説明に代える。
【００２５】
図１に示すように、本実施の形態における伝送システム１０は、同軸ケーブル１１と、アナログカメラ２０と、ＩＰカメラ３０と、同軸ケーブルモデム３１と、ハイパスフィルタ３２及び３３と、ローパスフィルタ２１とを備えている。このうち、同軸ケーブル１１は、アナログカメラ２０が出力した映像信号と、ＩＰカメラ３０が出力した映像信号との信号伝送経路として機能する。
【００２６】
アナログカメラ２０は、映像信号としてアナログ信号を出力するカメラであり、同軸ケーブル１１の入力端となる分岐器１２に接続されている。また、図１において、１４は、アナログカメラ２０から出力された映像信号を分岐器１２へと伝送する信号伝送経路である。信号伝送経路１４は、同軸ケーブルによって構成されている。
【００２７】
ＩＰカメラ３０は、映像信号としてデジタル信号を出力するカメラである。また、ＩＰカメラ３０は、アナログカメラ２０とは別の信号伝送経路１６によって、同軸ケーブル１１の入力端（分岐器１２）に、同軸ケーブルモデム３１及びハイパスフィルタ３２を順に介して、接続されている。
【００２８】
なお、１６ａは、信号伝送経路１６のうちの同軸ケーブルモデムとハイパスフィルタ３２とを結ぶ部分を示し、１６ｂは、信号伝送経路１６のうちのハイパスフィルタ３２と分岐器１２とを結ぶ部分を示している。
【００２９】
同軸ケーブルモデム３１は、ＩＰカメラ３０が出力した信号を、同軸ケーブル１１による伝送が可能な信号に変換する機器である。具体的には、同軸ケーブルモデム３１は、ＯＦＤＭ（Orthogonal Frequency Division Multiplexing）方式によって、ＩＰカメラ２０から出力された映像信号を搬送波に乗せ、映像信号が乗った搬送波を出力する。
【００３０】
また、本実施の形態では、同軸ケーブルモデム３１が使用する周波数帯域は、２．０ＭＨｚ〜３０．０ＭＨｚであり、同軸ケーブルモデム３１は、この範囲で、複数のサブキャリアを設定する。但し、後述するように、同軸ケーブルモデム３１から出力される信号のうち、低い周波数のサブキャリアは、ハイパスフィルタ３２によってカットされる。従って、同軸ケーブルモデム３１は、カットされないサブキャリのみに映像信号を乗せる。
【００３１】
ハイパスフィルタ３２は、アナログカメラ２０の映像信号の周波数よりも高い周波数の帯域の信号を通過させるフィルタである。また、ハイパスフィルタ３３も、ハイパスフィルタ３２と同様に、アナログカメラ２０の映像信号の周波数よりも高い周波数の信号を通過させるフィルタである。
【００３２】
ローパスフィルタ２１は、同軸ケーブルモデム３１から出力される信号の周波数よりも低い周波数の帯域の信号を通過させるフィルタであり、同軸ケーブル１１の出力端となる分岐器１３に、接続されている。
【００３３】
本実施の形態では、ローパスフィルタ２１は、分岐器１３に接続された信号伝送経路１５上に設けられている。よって、図２を用いて後述するように、ローパスフィルタ２１により、アナログカメラからの映像信号のみを取り出すことができる。
【００３４】
また、ハイパスフィルタ３３は、ローパスフィルタ２１とは別の信号伝送経路１７によって、同軸ケーブル１１の分岐器１３に、接続されている。よって、図２を用いて後述するように、ハイパスフィルタ３３によって、ＩＰカメラからの映像信号が搬送波に乗せられた状態で取り出される。
【００３５】
また、本実施の形態１では、図１に示すように、伝送システム１０は、更に、カメラコントローラ２２と、モニタ２３と、同軸ケーブルモデム３３と、モニタ３５とを備えている。
【００３６】
カメラコントローラ２２は、信号伝送路１５上に設けられており、アナログカメラ２０への電力供給を行っている。図１において、１５ａは、信号伝送経路１５のうちのローパスフィルタ２１とカメラコントローラ２２とを結ぶ部分を示している。モニタ２３は、信号伝送路１５に接続され、ローパスフィルタによって取り出されたアナログカメラの映像信号に基づいて、映像を表示する。
【００３７】
また、同軸ケーブルモデム３４は、信号伝送経路１７上に設けられている。同軸ケーブルモデム３４は、上述した同軸ケーブルモデム３１と同様に構成されているが、同軸ケーブルモデム３４には、ハイパスフィルタ３３により、映像信号が乗った搬送波が入力される。よって、同軸ケーブルモデム３４は、搬送波から映像信号を取り出し、取り出した映像信号を信号伝送経路１７に出力する。１７ａは、信号伝送経路１７のうちのハイパスフィルタ３３と同軸ケーブルモデム３４とを結ぶ部分を示している。
【００３８】
モニタ３５は、信号伝送経路１７に接続されている。従って、モニタ３５は、同軸ケーブルモデム３３が出力した映像信号に基づいて、映像を表示する。
【００３９】
ここで、図２を用いて、各信号伝送経路において伝送される信号について説明する。図２は、各信号伝送経路で伝送されている信号を示す図である。
【００４０】
図２に示すように、アナログカメラ２０から、アナログの映像信号５１が出力される。そして、アナログ信号５１は、信号伝送経路１４を介して、同軸ケーブル１１へと伝送される。また、このとき、アナログカメラ２０が出力するアナログ信号の周波数は、３．０ＭＨｚ〜４．２ＭＨｚである。
【００４１】
また、ＩＰカメラ３０から、デジタルの映像信号が出力されると、映像信号は、同軸ケーブルモデム３１によって変調され、搬送波５２とされる。そして、信号伝送経路１６ａにおいて、搬送波５２が伝送される。この搬送波５２は、ハイパスフィルタ３２に入力されると、その低周波成分がカットされ、搬送波５３とされる。
【００４２】
このとき、ハイパスフィルタ３２によってカットされる低周波成分は、アナログカメラ２０からの映像信号の周波数以下の周波数となる部分である。低周波部分がカットされた搬送波５３は、信号伝送経路１６ｂを介して、同軸ケーブル１１へと伝送される。
【００４３】
よって、同軸ケーブル１１では、アナログ信号５１と搬送波５３との両方が伝送されるが、図２に示すように、両者が干渉することはない。その後、これらの信号は、分岐器１３によって、図１に示した信号伝送経路１５と信号伝送経路１７とに送られる。
【００４４】
このうち、信号伝送経路１５では、ローパスフィルタ２１によって、高周波部分がカットされる。結果、信号伝送経路１５ａでは、アナログ信号５１のみとなり、アナログ信号５１のみがモニタ２３に入力される。
【００４５】
一方、信号伝送経路１７では、ハイパスフィルタ３３によって、低周波部分がカットされる。結果、信号伝送経路１７ａでは、搬送波５３のみとなり、同軸ケーブルモデム３４によって、ＩＰカメラ３０の映像信号が取り出され、モニタ３５に入力される。
【００４６】
以上のように、本実施の形態によれば、単一の同軸ケーブル１１によって、アナログカメラの映像信号とＩＰカメラの映像信号とを同時に伝送しても、両者が干渉することはない。従って、アナログカメラの映像信号とＩＰカメラの映像信号との同時伝送が、単一の同軸ケーブル１１によって実現される。
【００４７】
［ＩＰカメラの敷設方法］
次に、本実施の形態におけるＩＰカメラの敷設方法について図３を用いて説明する。図３は、本発明の実施の形態におけるＩＰカメラの敷設方法を示すフロー図であり、図３（ａ）〜図３（ｄ）は、それぞれ一連の主なステップを示している。
【００４８】
図３（ａ）に示すように、予め、アナログカメラ２０と、そのアナログ信号を伝送する同軸ケーブル５１と、カメラコントローラ２２と、モニタ２３とが、既存の伝送システム５０（カメラシステム）として敷設されている。本実施の形態では、この伝送システム５０に、新たに、ＩＰカメラ３０を敷設する。
【００４９】
図３（ｂ）に示すように、まず、同軸ケーブル５１に、入力側に位置する分岐器１２と、出力側に位置する分岐器１３とを設ける。そして、図３（ｃ）に示すように、ＩＰカメラ３０を、同軸ケーブルモデム３１と、ハイパスフィルタ３２とを順に介して、分岐器１２に接続する。これにより、信号伝送経路１６が同軸ケーブル５１から分岐した状態となり、分岐の先にＩＰカメラ３０が存在することになる。
【００５０】
次に、図３（ｄ）に示すように、同軸ケーブル５１の分岐器１３に、同軸ケーブル５１から分岐するように、新たな信号伝送経路１７を設ける。信号伝送経路１７には、ハイパスフィルタ３３及び同軸ケーブルモデム３４を順に設置し、更に、信号伝送経路１７の出力端には、モニタ３５を接続する。
【００５１】
また、図３（ｄ）に示すように、同軸ケーブル５１上の、分岐器１３の出力側に、ローパスフィルタ２１を設置する。以上により、ＩＰカメラ２０の敷設が完了し、図１に示した伝送システムが構築される。
【００５２】
［変形例］
ここで、図４を用いて本発明の実施の形態における変形例について説明する。図４は、本発明の実施の形態における伝送システムの他の例の構成を示す図である。
【００５３】
図４に示すように、伝送システム６０は、ローパスフィルタ６１を更に備えている点で、図１に示した伝送システム１０と異なっている。ローパスフィルタ６１は、ローパスフィルタ２１と同様に、同軸ケーブルモデム３１から出力される信号の周波数よりも低い周波数の信号を通過させるフィルタである。
【００５４】
そして、ローパスフィルタ６１は、信号伝送経路１４に設けられており、アナログカメラ２０は、ローパスフィルタ６１を介して、同軸ケーブル１１の入力端に接続される。このため、変形例１によれば、同軸ケーブルモデム３１、３４が発するノイズがアナログカメラに入ることを防ぎ、結果、モニタ２３で出力される映像の品質が向上することになる。
【００５５】
なお、今回開示された実施の形態は全ての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【産業上の利用可能性】
【００５６】
以上のように、本発明によれば、単一の同軸ケーブルによって、アナログカメラの映像信号とＩＰカメラの映像信号との同時伝送を実現できる。本発明は、既存のアナログカメラによるシステムに、新たにＩＰカメラを敷設する場合に有用である。
【符号の説明】
【００５７】
１０  伝送システム
１１  同軸ケーブル
１２、１３  分岐器
１４  信号伝送経路
１５、１５ａ  信号伝送経路
１６、１６ａ、１６ｂ  信号伝送経路
１７、１７ａ  信号伝送経路
２０  アナログカメラ
２１  ローパスフィルタ
２２  カメラコントローラ
２３  モニタ
３０  ＩＰカメラ
３１、３４  同軸ケーブルモデム
３２、３３  ハイパスフィルタ
３５  モニタ
５０  伝送システム
５１  映像信号（アナログ）
５２  搬送波
５３  搬送波（カット後）
６０  伝送システム
６１  ローパスフィルタ
【図１】
2013093680.tif 000003
【図２】
2013093680.tif 000004
【図３】
2013093680.tif 000005
【図４】
2013093680.tif 000006